(57)【要約】【課題】浮上槽において水槽内を区画しても偏流を抑制すること。【解決手段】本発明の浮上槽は、魚卵が載置され開口部を有する受卵盆、および受卵盆より下側に下網が設置される水槽と、水槽の水面となる高さよりも上部に設けられ、水が導入される導入口と、水槽を少なくとも導入口側および導入口と反対側の区画に分割する仕切板と、導入口に導入した水を下網の下部に誘導し、下網を通して水槽の内部に流入させる誘導部と、水槽に流入した水を、少なくとも水槽の上部の導入口側および導入口の反対側に流出させて排水口に導く排水路とを備える。【選択図】図１
2014076014.tif 000002
【特許請求の範囲】
【請求項１】
魚卵が載置され開口部を有する受卵盆、および前記受卵盆より下側に下網が設置される水槽と、
前記水槽の水面となる高さよりも上部に設けられ、水が導入される導入口と、
前記水槽を少なくとも前記導入口側および前記導入口と反対側の区画に分割する仕切板と、
前記導入口に導入した水を前記下網の下部に誘導し、前記下網を通して前記水槽の内部に流入させる誘導部と、
前記水槽に流入した水を、少なくとも前記水槽の上部の前記導入口側および前記導入口の反対側に流出させて排水口に導く排水路と
を備えることを特徴とする浮上槽。
【請求項２】
前記排水路は、前記水槽の上部の周囲から前記水を流出させることを特徴とする請求項１に記載の浮上槽。
【請求項３】
前記水槽は上方から見た場合に交差する仕切板によって４区画に分割されていることを特徴とする請求項１または請求項２に記載の浮上槽。
【請求項４】
前記仕切板は、少なくとも前記受卵盆と前記下網との間において、開口部を備えることを特徴とする請求項１乃至請求項３のいずれかに記載の浮上槽。
【請求項５】
前記仕切板の開口部は長穴形状であり、前記仕切板の開口部の長手方向が上下に沿った方向になるように、前記水槽に前記仕切板が設置されることを特徴とする請求項４に記載の浮上槽。
【請求項６】
前記受卵盆の開口部は長穴形状であり、前記受卵盆の開口部の長手方向が前記導入口側から前記導入口の反対側に沿った方向になるように、前記水槽に前記受卵盆が設置されることを特徴とする請求項１乃至請求項５のいずれかに記載の浮上槽。
【請求項７】
前記誘導部は、開口部を有する整流板を有し、前記導入口に導入した水を前記整流板の開口部を通過させてから前記下網の下部に誘導することを特徴とする請求項１乃至請求項６のいずれかに記載の浮上槽。
【請求項８】
前記水槽の側面から内部へ光を導入する窓と、
前記窓からの光の導入を遮蔽する遮光部と
をさらに備えることを特徴とする請求項１乃至請求項７のいずれかに記載の浮上槽。
【請求項９】
前記窓は、前記水槽の前記受卵盆より上側および下側に光を導入し、
前記遮光部は、前記受卵盆より上側の少なくとも一部に光を導入した状態で、前記受卵盆より下側への光を遮蔽できることを特徴とする請求項８に記載の浮上槽。
【発明の詳細な説明】
【技術分野】
【０００１】
本発明は、魚卵を孵出させて仔魚を育成し、稚魚として浮上させる浮上槽に関する。
【背景技術】
【０００２】
サケ、マス類等の増殖事業において、魚卵を孵出させ、仔魚を育成し、稚魚として浮上するまでの管理が、浮上槽によって行われている。
【０００３】
浮上槽は、孵出するまで発眼卵が裁置される受卵盆、孵出した仔魚が育成されるネットリング等の育成床材を有している。発眼卵が孵出すると、仔魚は受卵盆に設けられた開口部を通過して、受卵盆の下側に設けられたネットリングの中に移動する。仔魚はネットリングの中で安静に保たれ、さいのうから栄養（内部栄養）を摂取して成長する。成長が進んで外部栄養を自ら摂取しようとする稚魚にまで成長すると、稚魚はネットリングの外側に移動して浮上する。
【０００４】
良好な稚魚に成長させるために、仔魚に対しては刺激を与えず安静に維持することで、内部栄養が消費され過ぎないようにすることが重要である。また、仔魚は湧昇流の流れに逆らって姿勢を保ち酸素供給を受けながらネットリングで過ごす。そのため、湧昇流に偏流があると水が留まってしまう領域が発生し、その領域には十分な酸素が供給されなくなってしまう。この酸素の濃度の偏りが仔魚の成長に悪影響を与えることがあり、様々な改良が試みられている（例えば、特許文献１、２）。
【先行技術文献】
【特許文献】
【０００５】
【特許文献１】実開平２−１４９５８号公報
【特許文献２】実用新案登録第３１５０２１３号公報
【発明の概要】
【発明が解決しようとする課題】
【０００６】
しかしながら、従来の改良においては必ずしも偏流を抑制することが十分でなかった。例えば、水槽内の水が排水側に流れやすく偏流を生じさせていた。その結果、排水側とは反対側（水が導入される側）において酸素濃度の高い水が供給されにくくなり、酸素濃度の偏りが発生する。そのため、仔魚の育成に悪影響があるとともに、発眼卵に対しても悪影響を与えていた。
【０００７】
また、水槽内部を仕切って複数の区画に分割することにより、複数の魚種を同時に育成したり、同じ魚種でも複数の発育段階の育成を一つの浮上槽で同時に実現したりしようとすることも試みられているものの、複数の区画に分けることは、さらなる偏流を起こす要因となり、これまで実現できていなかった。
【０００８】
本発明は、浮上槽において水槽内を複数に区画しても偏流を抑制することを目的とする。
【課題を解決するための手段】
【０００９】
本発明の一実施形態によると、魚卵が載置され開口部を有する受卵盆、および前記受卵盆より下側に下網が設置される水槽と、前記水槽の水面となる高さよりも上部に設けられ、水が導入される導入口と、前記水槽を少なくとも前記導入口側および前記導入口と反対側の区画に分割する仕切板と、前記導入口に導入した水を前記下網の下部に誘導し、前記下網を通して前記水槽の内部に流入させる誘導部と、前記水槽に流入した水を、少なくとも前記水槽の上部の前記導入口側および前記導入口の反対側に流出させて排水口に導く排水路とを備えることを特徴とする浮上槽が提供される。
【００１０】
また、別の好ましい態様において、前記排水路は、前記水槽の上部の周囲から前記水を流出させてもよい。
【００１１】
また、別の好ましい態様において、前記水槽は上方から見た場合に交差する仕切板によって４区画に分割されていてもよい。
【００１２】
また、別の好ましい態様において、前記仕切板は、少なくとも前記受卵盆と前記下網との間において、開口部を備えていてもよい。
【００１３】
また、別の好ましい態様において、前記仕切板の開口部は長穴形状であり、前記仕切板の開口部の長手方向が上下に沿った方向になるように、前記水槽に前記仕切板が設置されてもよい。
【００１４】
また、別の好ましい態様において、前記受卵盆の開口部は長穴形状であり、前記受卵盆の開口部の長手方向が前記導入口側から前記導入口の反対側に沿った方向になるように、前記水槽に前記受卵盆が設置されてもよい。
【００１５】
また、別の好ましい態様において、前記水槽の側面から内部へ光を導入する窓と、前記窓からの光の導入を遮蔽する遮光部とをさらに備えていてもよい。
【００１６】
また、別の好ましい態様において、前記窓は、前記水槽の前記受卵盆より上側および下側に光を導入し、前記遮光部は、前記受卵盆より上側の少なくとも一部に光を導入した状態で、前記受卵盆より下側への光を遮蔽できるようにしてもよい。
【発明の効果】
【００１７】
本発明によれば、浮上槽において水槽内を区画しても偏流を抑制することができる。
【図面の簡単な説明】
【００１８】
【図１】本発明の一実施形態に係る浮上槽１の外観を示す図である。
【図２】本発明の一実施形態に係る浮上槽１を上方から見た図である。
【図３】図２に示すＩＩＩ−ＩＩＩ方向に見た断面の模式図である。
【図４】本発明の一実施形態に係る浮上槽１の側板３５Ｌに設けられた観察窓３０Ｌおよび遮光引戸３１を説明する図である。
【図５】本発明の一実施形態に係る水槽１０の内部構成を説明する図である。
【図６】本発明の一実施形態に係る受卵盆６０の構造を説明する図である。
【図７】本発明の一実施形態に係る仕切板７１、７２の構造を説明する図である。
【図８】本発明の実施例１、２および比較例について、水流テストの結果を示す図である。
【図９】本発明の実施例１について、水流テストによる色水の時間変化を示す図である。
【図１０】本発明の実施例２について、水流テストによる色水の時間変化を示す図である。
【図１１】本発明の比較例について、水流テストによる色水の時間変化を示す図である。
【発明を実施するための形態】
【００１９】
以下、本発明の一実施形態に係る浮上槽について、図面を参照しながら詳細に説明する。なお、以下に示す実施形態は本発明の実施形態の一例であって、本発明はこれらの実施形態に限定されるものではない。また、図面の寸法比率は説明の都合上実際の比率とは異なったり、構成の一部が図面から省略されたりする場合がある。
【００２０】
＜実施形態＞
本発明の一実施形態に係る浮上槽１について、図面を参照しながら詳細に説明する。まず、浮上槽１の外観の構成について説明する。
【００２１】
［外観構成］
図１は、本発明の一実施形態に係る浮上槽１の外観を示す図である。浮上槽１は、水槽１０、導入口２０および排水桶４０を有する。水槽１０内において、サケ、マス等の発眼卵を孵出させて、仔魚を稚魚になるまで育成する。なお、浮上槽１は、水が通過する部分の大部分が硬質ポリ塩化ビニルなどのプラスチックにより形成される。プラスチック以外で形成されているものとしては、例えば、後述する下網７０（図３参照）がある。
【００２２】
水槽１０は、仕切板７１、７２により４区画に分割されている。仕切板７１、７２は、水槽１０の他の区画の水が流れ込まない高さに設計されている。水槽１０の各区画には、受卵盆６０が設置されている。受卵盆６０は、サケ、マス等の発眼卵が載置される。受卵盆６０には、発眼卵が通過せず、仔魚が通過できる程度の大きさの複数の開口部６０Ｈ（図６参照）が形成されている。受卵盆６０は、稚魚が浮上するときには取り外される。
【００２３】
導入口２０は、水槽１０へ導入する水が供給される部分であり、水槽１０の水面となる高さよりも上部に設けられている。導入口２０に供給された水は、水槽１０の下部に誘導され、水槽１０の内部に流入する。水槽内部に流入した水は、水槽１０の周囲に設けられた排水網４５Ｆ、４５Ｂ、４５Ｌ、４５Ｒを通過して排水桶４０に流出し、排水口５０から排出される。ここで、排水網４５Ｆ、４５Ｂ、４５Ｌ、４５Ｒは、導入口２０側から見て、手前側、奥側、左側、右側にある排水網をいい、特に区別しない場合には単に排水網４５という。排水網４５は、支持板４６により支持されている。
【００２４】
排水桶４０は、水槽１０の周囲に設けられ、水槽１０から周囲に流出させる排水網４５とともに、水槽１０の水を排水口５０に導く排水路を構成する。排水口５０は、図示しない排水パイプが接続され、その排水パイプを通して浮上槽１の外部に排水するための流路である。このとき、排水口５０は、浮上した稚魚を浮上槽１の外部（例えば、池）に放流するときにも用いられる。排水口５０から放流することにより、稚魚を玉網などですくわずに自然に近い状態に放流することができる。なお、一方の排水口５０を栓で塞ぐなどして用いてもよい。
【００２５】
浮上槽１の側面を構成する側板（導入口２０側から見て、手前側、奥側、左側、右側の側板を側板３５Ｆ、３５Ｂ、３５Ｌ、３５Ｒという）のうち、側板３５Ｌ、３５Ｒには、水槽１０の内部を側面から観察するための観察窓３０Ｌ、３０Ｒが設けられている。観察窓３０Ｌ、３０Ｒは、アクリル板など光を透過する材料で形成されている。観察窓３０Ｌの周囲にはレール３２が設けられ、観察窓３０Ｌへの光の導入を遮蔽するための遮光引戸３１Ｌ（図１において省略、図４参照）を設置可能になっている。
【００２６】
水槽１０の側面は、側板３５Ｂ、３５Ｌ、３５Ｒ、３５Ｐで構成される。側面３５Ｆは、側板３５Ｂ、３５Ｌ、３５Ｒ、３５Ｐとともに、水槽１０の下部および導入口２０側に形成された誘導部８０（図３参照）の側面を構成する。詳細については後述する。
【００２７】
また、浮上槽１の下部には、浮上槽１の全体を支える４つの調整足９０が設けられている。調整足９０は長さ調節が可能であり、浮上槽１の傾きを調整することができる。通常に使用するときには浮上槽１が水平になるようにして、水槽１０の水が一方向に偏って排水桶４０に流出しないように各調整足９０の長さが調整されている。
【００２８】
［内部構造］
続いて、浮上槽１について、内部構造を含めてさらに説明する。
【００２９】
図２は、本発明の一実施形態に係る浮上槽１を上方から見た図である。図３は、図２に示すＩＩＩ−ＩＩＩ方向に見た断面の模式図である。水槽１０の底部には、下網７０が設けられている。下網７０は、魚卵、仔魚および稚魚を通過させず、かつ水を通過させる程度の大きさの開口部を有し、この例では、ステンレスで形成された網である。
【００３０】
導入口２０に水が供給されると、整流板２５に設けられた開口部を通過し、側板３５Ｆと側板３５Ｐとの間を水が流れて底板３５Ｃに受け止められ、水槽１０の下網７０の下部に誘導される。誘導部８０は、導入口２０に供給された水を水槽１０の下部に誘導する流路である。底板３５Ｃには誘導部８０内の水抜きができるように排水穴６８Ｈを有する。水抜きをしないときには、排水孔６８Ｈは排水栓６８で塞がれている。
【００３１】
誘導部８０に設けられた整流板２５は、開口部が複数設けられている。この例では、開口部は円形であり、所定のピッチで並んでいる。導入口２０に供給された水は、整流板２５に当たって開口部を通過する。これにより、供給された水に気泡が含まれている場合であっても、整流板２５の開口部より大きい気泡が通過できないため、大部分の気泡が除去される。また、整流板２５により流速が抑えられるため、整流板２５を通過した気泡があっても水槽１０の下部にまではほとんど到達しないようにすることができる。気泡が水槽１０の下部に到達してしまうと、下網７０の下面に泡が溜って水流の妨げとなる場合があるが、整流板２５が存在することにより泡が溜まってしまうことを抑制することができる。さらに、導入口２０に供給された水は、整流板２５により導入口２０近傍だけに集中せず、周囲に分散して水槽１０の下部に流れる。
【００３２】
水槽１０は、上方から見た場合に仕切板７１、７２により４区画に分割されている。また、水槽１０は、側方から見た場合に受卵盆６０により上下に区画されている。上下の区画については、受卵盆６０の開口部６０Ｈが水の流路となっている。また、仕切板７１、７２の受卵盆６０より下側部分にも、受卵盆６０と同様な形状の開口部（図２においては開口部７２Ｈ）が設けられ、下側にある隣接区画の水の流路となっている。なお、仕切板７１、７２の受卵盆６０より上側部分にも開口部が設けられていてもよい。また、仕切板７１、７２のいずれか一方、または双方に開口部が設けられていなくてもよい。
【００３３】
水槽１０の下側の各区画には、仔魚が稚魚になるまで安静に育成されるためのネットリング６５が敷き詰められている。この例ではネットリング６５は５層に積まれており、各層でネットリング６５の長手方向の向きが、仕切板７２に沿った方向、仕切板７１に沿った方向の順に交互に入れ替わるように積み上げられている。なお、上述した仕切板７１、７２の開口部が存在する場合には、仔魚への影響を少なくするため、積み上げられたネットリング６５は、この開口部の下側までの高さになるようにすることが望ましい。
【００３４】
排水桶４０は、水槽１０の周囲に設けられ、排水口５０側、および導入口２０側に堰板４１、４２が設置できるようになっている。通常の排水に排水桶４０および排水口５０が用いられている場合には、堰板４１、４２が取り付けられた状態であっても、取り外された状態であってもよい。一方、２箇所の排水口５０を稚魚の放流に用いる場合に、堰板４１、４２を取り付けることで、水槽１０の左右の区画（導入口２０から見た左側の区画と右側の区画）の稚魚を、それぞれ別の池に放流することもできる。また、２箇所の排水口５０の一方を稚魚の放流に用い、他方を排水に用いることもできる。
【００３５】
また、排水桶４０が水槽１０の導入口２０側にも設けられ、排水網４５Ｆを通して水槽１０から水を流出させることができるようになっている。水槽１０の周囲に排水桶４０がなく、導入口２０と反対側（排水口５０側）だけに存在する場合、水槽１０の下部から流入した水が排水口５０側に引っ張られて、水槽１０の導入口２０側の区画において水が滞留してしまう問題が生じる。
【００３６】
一方、本発明の実施形態に係る浮上槽１のように、導入口２０側において排水網４５Ｆを通して水槽１０の水が流出できる構成であるため、水槽１０における水の偏流が起きにくい。さらに、排水網４５Ｌ、４５Ｒを通して水槽１０の水が流出できる構成であることにより、さらに水の偏流を抑制することができる。したがって、水槽１０の下部から導入された水は、安定した湧昇流として水槽１０の全体に行き渡り、一部領域において酸素濃度が少なくなることを抑制することができる。
【００３７】
図３に示すように、浮上槽１には、蓋９５が設けられている。蓋９５は、浮上槽１の上面全体を覆い、観察窓３０Ｌ、３０Ｒ以外からの水槽１０内への光の導入を遮蔽する。稚魚として浮上してくる段階までは水槽１０内を暗くしておくことが望ましいため、通常、浮上槽１は、蓋９５により水槽１０を遮光した状態で使用される。このとき、浮上槽１は、観察窓３０Ｌ、３０Ｒを遮光引戸３１で覆うことにより水槽１０を遮光する。仔魚が稚魚にまで育成されると、光を当てて稚魚を刺激して浮上を促すが、蓋９５および受卵盆６０を取り外すだけでなく、遮光引戸３１を取り外して観察窓３０Ｌ、３０Ｒから水槽１０の内部に側面から光を導入することで、効率的に稚魚を刺激することができる。
【００３８】
［観察窓］
図４は、本発明の一実施形態に係る浮上槽１の側板３５Ｌに設けられた観察窓３０Ｌおよび遮光引戸３１を説明する図である。図４（ａ）は、図１の浮上槽１を導入口２０の左側から見た図である。観察窓３０Ｌは、受卵盆６０およびネットリング６５を含む水槽１０の内部を観察し、また、光を導入するために設けられた窓である。
【００３９】
遮光引戸３１は、図４（ｂ）に示すように、レール３２に沿ってスライドして、観察窓３０Ｌを塞ぎ、水槽１０の内部に光が導入されるのを遮蔽することができる遮光部である。この観察窓３０Ｌ、３０Ｒは、稚魚の浮上を促すだけでなく、発眼卵が孵出したかどうか、仔魚の育成具合などを確認するためにも用いることができる。
【００４０】
一方で、仔魚は安静に保たれるのがよいため、できるだけ短い時間で確認することが望ましい。そのため、図４（ｃ）に示すように、レール３２ａに上下に配置された２枚の遮光引戸３１ａ１、３１ａ２をスライドさせることにより、受卵盆６０より下側の区画を暗くしたまま仔魚に光が当たりにくくして、上側の区画を観察することができるようにしてもよい。この例では、遮光引戸３１ａ１をスライドすると、受卵盆６０より上側の一部に光が導入されるため、受卵盆６０を通さないとネットリング６５には光が到達しない。そのため、仔魚にほとんど光を当てずに受卵盆６０に残った発眼卵の確認等が可能となる。以上、観察窓３０Ｌについて説明したが、観察窓３０Ｒも観察窓３０Ｌと同様である。
【００４１】
［水槽内の構成］
続いて、水槽１０の内部の構成について、より詳細に説明する。
【００４２】
図５は、本発明の一実施形態に係る水槽１０の内部構成を説明する図である。図５においては、観察窓は省略されている。以下の図６、図７についても同様である。水槽１０の底に下網７０が設けられ、その下側には誘導部８０が設けられている。各区画の下網７０は、側板３５Ｂ、３５Ｌ、３５Ｒ、３５Ｐと仕切板７１、７２とによって周囲が支持されている。下網７０の上には、各区画のネットリング６５が積み上げられている。各区画の受卵盆６０は、側板３５Ｂ、３５Ｌ、３５Ｒ、３５Ｐと仕切板７１、７２とによって周囲が支持されている。受卵盆６０の破線で囲まれた部分を図６に示す。
【００４３】
図６は、本発明の一実施形態に係る受卵盆６０の構造を説明する図である。受卵盆６０は、外周に沿って形成された封止部６１を有する。封止部６１は、軟質塩化ビニル製であり、仕切板７１、７２と密着することにより、仕切板７１、７２の表面と受卵盆６０の表面とが連続的に接続されるようにする。これにより、受卵盆６０に載置される発眼卵に無理な力がかからないようにすることができる。
【００４４】
また、受卵盆６０の開口部６０Ｈは、小判型の長穴形状である。例えば、長穴形状の幅Ｗは５．０ｍｍ、長さＬは２０．０ｍｍ、幅方向繰り返し寸法Ｈは７．０ｍｍ、長さ方向繰り返し寸法Ｐは２６．０ｍｍに配置されている。この開口部６０Ｈは、サケ、マスの魚卵を載置したときに下側の区画に落下するのを防止し、かつ孵出した仔魚が下側の区画に移動するのに適した配置である。この配置は、孵出させる魚種に応じて適宜設計すればよい。
【００４５】
また、開口部６０Ｈの長手方向は、いずれの方向を向いていてもよいが、水流の安定化のため、仕切板７１に沿った方向（導入口２０側から排水口５０側に沿った方向）に向いていることが望ましい。なお、排水網４５の開口部、仕切板７１、７２の開口部を、受卵盆６０の開口部６０Ｈと同じものとすれば、材料を共通化できるため製造コストを低減することができる。この場合、仕切板７１、７２の開口部の長手方向についても、いずれの方向を向いていてもよいが、湧昇流への影響を少なくするために上下方向に沿っていることが望ましい。排水網４５の開口部についても、いずれの方向を向いていてもよい。
【００４６】
図７は、本発明の一実施形態に係る仕切板７１、７２の構造を説明する図である。仕切板７２は、中央上部にスリット７２Ｓを有するとともに、受卵盆６０を支持するための突出部７２Ｕ、および下網７０を支持するための突出部７２Ｄを有する。仕切り板７２は、水槽１０の側板に形成された凹部３５Ｓに沿って嵌めこまれることにより、水槽１０に取り付けられる。なお、側板には、受卵盆６０を支持するための突出部３５Ｕ、および下網７０を支持するための突出部３５Ｄが形成されている。
【００４７】
仕切板７１は、中央下部にスリット７１Ｓを有するとともに、受卵盆６０を支持するための突出部７１Ｕ、および下網７０を支持するための突出部７１Ｄを有する。仕切り板７１は、水槽１０の側板に形成された凹部３５Ｓに沿って嵌めこまれ、仕切板７２のスリット７２Ｓと、スリット７１Ｓとを噛み合わせることにより、水槽１０に取り付けられる。
【００４８】
［実施例］
続いて、本発明の一実施形態に係る浮上槽１について、偏流の程度を確認するための水流テストを行った結果を説明する。実施形態において説明した浮上槽１と同等の実施例１、排水網４５Ｌ、４５Ｒからは水が流出しないようにして、排水網４５Ｆ、４５Ｂのみから水が流出するようにした実施例２、および排水網４５Ｆ、４５Ｌ、４５Ｒからは水が流出しないようにして、排水網４５Ｂのみから水が流出する従来の構成に近い比較例について、水流テストを行った。
【００４９】
この水流テストは、水槽１０（上方からみた寸法１０００ｍｍ×１０００ｍｍ、深さ５９０ｍｍ、なお、水槽１０の下網７０から底板３５Ｃまでは１００ｍｍ）に水を張り、導入口２０から１分当たり５０リットルの色水を供給した。色水が水槽１０に拡散していく様子を観察し、区画１０ＦＲ、１０ＦＬ、１０ＢＲ、１０ＢＬのそれぞれについて、排水桶４０に色水が流出するまでの時間を計測した。水槽１０の区画１０ＦＲ、１０ＦＬ、１０ＢＲ、１０ＢＬについては、それぞれ図８に示す位置である。なお、比較例においては、区画１０ＦＲ、１０ＦＬから排水桶４０に流出することはできないため、色水の拡散の様子の観察のみとした。
【００５０】
図８は、本発明の実施例１、２および比較例について、水流テストの結果を示す図である。図８（ａ）は実施例１、図８（ｂ）は実施例２、図８（ｃ）は比較例の水流テストの結果であり、各区画に示す時間は導入口２０に色水を供給してから、色水が排水桶４０に流出するまでの時間である。
【００５１】
図９は、本発明の実施例１について、水流テストによる色水の時間変化を示す図である。図１０は、本発明の実施例２について、水流テストによる色水の時間変化を示す図である。図１１は、本発明の比較例について、水流テストによる色水の時間変化を示す図である。それぞれ、（１）から順に時間が経過して色水が拡散する様子を示す図である。図９、図１０、図１１における「導入口」の記載は、写真における導入口２０の位置を示している。
【００５２】
まず、比較例について説明する。排水口５０側の区画１０ＢＲ、１０ＢＬにおいて、３分３５秒という結果であり、色水の拡散が良好に行われていることがわかる。一方、排水桶４０に直接流出できない区画１０ＦＲ、１０ＦＬにおいて、仕切板７１、７２に開口部があって他の区画と水の行き来が可能であったとしても、１０分経過後において一部領域（破線斜線部分）で色水の拡散がみられず、その後の拡散も非常に緩やかであった。そのため、水槽１０において偏流が発生し、一部領域、特に区画１０ＦＲ、１０ＦＬにおいて酸素濃度が低下して、発眼卵の孵出、仔魚の育成に悪影響を与えることになる。
【００５３】
実施例１では、いずれの区画においても３分４０秒から３分５５秒であり、色水の拡散が良好に行われ、偏流の少ない湧昇流が得られていることがわかる。また、実施例２においても、排水口５０側の区画１０ＢＲ、１０ＢＬにおいて、色水の拡散に６分から６分５秒と時間がかかっているものの、導入口２０側の区画１０ＦＲ、１０ＦＬにおいて、３分５０秒で色水の拡散が見られており、比較例に比べて改善されている。
【００５４】
このように、本発明の浮上槽１においては、水槽１０内を複数に区画しても、少なくとも水槽１０の導入口２０側および排水口５０側（導入口２０と反対側）に、水槽１０の水を流出させる排水路を設けることで、全区画において偏流を抑制することができる。また、水槽１０の周囲全体に排水路を設けることで、さらに偏流を抑制することができる。
【００５５】
［変形例１］
上述した実施形態においては、水槽１０は、４区画に分割されていたが、導入口２０側と排水口５０側（導入口２０と反対側）との２区画に分割されていてもよい。なお、３区画に分割されていてもよいし、さらに多くの区画に分割されていてもよいが、いずれの区画においても、水槽１０の周囲に面している必要があり、排水路への流出ができる必要がある。
【００５６】
［変形例２］
上述した実施形態においては、水槽１０の周囲に排水路が設けられていたが、実施例２で説明したように、少なくとも水槽１０の導入口２０側と排水口５０側（導入口２０と反対側）において排水路が設けられていればよい。
【００５７】
［変形例３］
上述した実施形態における底板３５Ｃに水の流れの妨げとなる突起物などの抵抗物が設けられていてもよい。この配置間隔、形状を導入口２０からの距離に応じて変化させることにより、偏流をより抑制するようにしてもよい。例えば、半円柱の抵抗物を配置する場合について説明する。この場合、半円柱の曲面部分が上方を向き、かつ長手方向が仕切板７２に沿った方向になるように、抵抗物を配置する。抵抗物は導入口２０からの距離によらず等間隔に配置される一方、円柱の直径が導入口２０から遠いほど大きくなるようになっていてもよい。
【符号の説明】
【００５８】
１…浮上槽、１０…水槽、２０…導入口、２５…整流板、３０…観察窓、３１…遮光引戸、３２…レール、３５Ｆ，３５Ｂ，３５Ｌ，３５Ｒ，３５Ｐ…側面、３５Ｃ…底板、４０…排水桶、４１，４２…堰板、４５…排水網、５０…排水口、６０…受卵盆、６５…ネットリング、６８…排水栓、６８Ｈ…排水穴、７１，７２…仕切板、８０…誘導部、９０…調整足、９５…蓋
【図１】
2014076014.tif 000003
【図２】
2014076014.tif 000004
【図３】
2014076014.tif 000005
【図４】
2014076014.tif 000006
【図５】
2014076014.tif 000007
【図６】
2014076014.tif 000008
【図７】
2014076014.tif 000009
【図８】
2014076014.tif 000010
【図９】
2014076014.tif 000011
【図１０】
2014076014.tif 000012
【図１１】
2014076014.tif 000013
【手続補正書】
【提出日】平成25年1月18日(2013.1.18)
【手続補正１】
【補正対象書類名】特許請求の範囲
【補正対象項目名】全文
【補正方法】変更
【補正の内容】
【特許請求の範囲】
【請求項１】
魚卵が載置され開口部を有する受卵盆、および前記受卵盆より下側に下網が設置される水槽と、
前記水槽の水面となる高さよりも上部に設けられ、水が導入される導入口と、
前記水槽を少なくとも前記導入口側および前記導入口と反対側の区画に分割する仕切板と、
前記導入口に導入した水を前記下網の下部に誘導し、前記下網を通して前記水槽の内部に流入させる誘導部と、
前記水槽の外側に設けられ、排水口が備えられた排水樋を有し、前記水槽に流入した水を、少なくとも前記水槽の上部の前記導入口側および前記導入口の反対側の前記排水樋に流出させて前記排水口に導く排水路と
を備えることを特徴とする浮上槽。
【請求項２】
前記排水路は、前記排水樋に前記水槽の上部の周囲から前記水を流出させることを特徴とする請求項１に記載の浮上槽。
【請求項３】
前記水槽は上方から見た場合に交差する仕切板によって４区画に分割されていることを特徴とする請求項１または請求項２に記載の浮上槽。
【請求項４】
前記仕切板は、少なくとも前記受卵盆と前記下網との間において、開口部を備えることを特徴とする請求項１乃至請求項３のいずれかに記載の浮上槽。
【請求項５】
前記仕切板の開口部は長穴形状であり、前記仕切板の開口部の長手方向が上下に沿った方向になるように、前記水槽に前記仕切板が設置されることを特徴とする請求項４に記載の浮上槽。
【請求項６】
前記受卵盆の開口部は長穴形状であり、前記受卵盆の開口部の長手方向が前記導入口側から前記導入口の反対側に沿った方向になるように、前記水槽に前記受卵盆が設置されることを特徴とする請求項１乃至請求項５のいずれかに記載の浮上槽。
【請求項７】
前記誘導部は、開口部を有する整流板を有し、前記導入口に導入した水を前記整流板の開口部を通過させてから前記下網の下部に誘導することを特徴とする請求項１乃至請求項６のいずれかに記載の浮上槽。
【請求項８】
前記水槽の側面から内部へ光を導入する窓と、
前記窓からの光の導入を遮蔽する遮光部と
をさらに備えることを特徴とする請求項１乃至請求項７のいずれかに記載の浮上槽。
【請求項９】
前記窓は、前記水槽の前記受卵盆より上側および下側に光を導入し、
前記遮光部は、前記受卵盆より上側の少なくとも一部に光を導入した状態で、前記受卵盆より下側への光を遮蔽できることを特徴とする請求項８に記載の浮上槽。
【手続補正２】
【補正対象書類名】明細書
【補正対象項目名】全文
【補正方法】変更
【補正の内容】
【発明の詳細な説明】
【技術分野】
【０００１】
本発明は、魚卵を孵出させて仔魚を育成し、稚魚として浮上させる浮上槽に関する。
【背景技術】
【０００２】
サケ、マス類等の増殖事業において、魚卵を孵出させ、仔魚を育成し、稚魚として浮上するまでの管理が、浮上槽によって行われている。
【０００３】
浮上槽は、孵出するまで発眼卵が裁置される受卵盆、孵出した仔魚が育成されるネットリング等の育成床材を有している。発眼卵が孵出すると、仔魚は受卵盆に設けられた開口部を通過して、受卵盆の下側に設けられたネットリングの中に移動する。仔魚はネットリングの中で安静に保たれ、さいのうから栄養（内部栄養）を摂取して成長する。成長が進んで外部栄養を自ら摂取しようとする稚魚にまで成長すると、稚魚はネットリングの外側に移動して浮上する。
【０００４】
良好な稚魚に成長させるために、仔魚に対しては刺激を与えず安静に維持することで、内部栄養が消費され過ぎないようにすることが重要である。また、仔魚は湧昇流の流れに逆らって姿勢を保ち酸素供給を受けながらネットリングで過ごす。そのため、湧昇流に偏流があると水が留まってしまう領域が発生し、その領域には十分な酸素が供給されなくなってしまう。この酸素の濃度の偏りが仔魚の成長に悪影響を与えることがあり、様々な改良が試みられている（例えば、特許文献１、２）。
【先行技術文献】
【特許文献】
【０００５】
【特許文献１】実開平２−１４９５８号公報
【特許文献２】実用新案登録第３１５０２１３号公報
【発明の概要】
【発明が解決しようとする課題】
【０００６】
しかしながら、従来の改良においては必ずしも偏流を抑制することが十分でなかった。例えば、水槽内の水が排水側に流れやすく偏流を生じさせていた。その結果、排水側とは反対側（水が導入される側）において酸素濃度の高い水が供給されにくくなり、酸素濃度の偏りが発生する。そのため、仔魚の育成に悪影響があるとともに、発眼卵に対しても悪影響を与えていた。
【０００７】
また、水槽内部を仕切って複数の区画に分割することにより、複数の魚種を同時に育成したり、同じ魚種でも複数の発育段階の育成を一つの浮上槽で同時に実現したりしようとすることも試みられているものの、複数の区画に分けることは、さらなる偏流を起こす要因となり、これまで実現できていなかった。
【０００８】
本発明は、浮上槽において水槽内を複数に区画しても偏流を抑制することを目的とする。
【課題を解決するための手段】
【０００９】
本発明の一実施形態によると、魚卵が載置され開口部を有する受卵盆、および前記受卵盆より下側に下網が設置される水槽と、前記水槽の水面となる高さよりも上部に設けられ、水が導入される導入口と、前記水槽を少なくとも前記導入口側および前記導入口と反対側の区画に分割する仕切板と、前記導入口に導入した水を前記下網の下部に誘導し、前記下網を通して前記水槽の内部に流入させる誘導部と、前記水槽の外側に設けられ、排水口が備えられた排水樋を有し、前記水槽に流入した水を、少なくとも前記水槽の上部の前記導入口側および前記導入口の反対側の前記排水樋に流出させて前記排水口に導く排水路とを備えることを特徴とする浮上槽が提供される。
【００１０】
また、別の好ましい態様において、前記排水路は、前記排水樋に前記水槽の上部の周囲から前記水を流出させてもよい。
【００１１】
また、別の好ましい態様において、前記水槽は上方から見た場合に交差する仕切板によって４区画に分割されていてもよい。
【００１２】
また、別の好ましい態様において、前記仕切板は、少なくとも前記受卵盆と前記下網との間において、開口部を備えていてもよい。
【００１３】
また、別の好ましい態様において、前記仕切板の開口部は長穴形状であり、前記仕切板の開口部の長手方向が上下に沿った方向になるように、前記水槽に前記仕切板が設置されてもよい。
【００１４】
また、別の好ましい態様において、前記受卵盆の開口部は長穴形状であり、前記受卵盆の開口部の長手方向が前記導入口側から前記導入口の反対側に沿った方向になるように、前記水槽に前記受卵盆が設置されてもよい。
【００１５】
また、別の好ましい態様において、前記水槽の側面から内部へ光を導入する窓と、前記窓からの光の導入を遮蔽する遮光部とをさらに備えていてもよい。
【００１６】
また、別の好ましい態様において、前記窓は、前記水槽の前記受卵盆より上側および下側に光を導入し、前記遮光部は、前記受卵盆より上側の少なくとも一部に光を導入した状態で、前記受卵盆より下側への光を遮蔽できるようにしてもよい。
【発明の効果】
【００１７】
本発明によれば、浮上槽において水槽内を区画しても偏流を抑制することができる。
【図面の簡単な説明】
【００１８】
【図１】本発明の一実施形態に係る浮上槽１の外観を示す図である。
【図２】本発明の一実施形態に係る浮上槽１を上方から見た図である。
【図３】図２に示すＩＩＩ−ＩＩＩ方向に見た断面の模式図である。
【図４】本発明の一実施形態に係る浮上槽１の側板３５Ｌに設けられた観察窓３０Ｌおよび遮光引戸３１を説明する図である。
【図５】本発明の一実施形態に係る水槽１０の内部構成を説明する図である。
【図６】本発明の一実施形態に係る受卵盆６０の構造を説明する図である。
【図７】本発明の一実施形態に係る仕切板７１、７２の構造を説明する図である。
【図８】本発明の実施例１、２および比較例について、水流テストの結果を示す図である。
【図９】本発明の実施例１について、水流テストによる色水の時間変化を示す図である。
【図１０】本発明の実施例２について、水流テストによる色水の時間変化を示す図である。
【図１１】本発明の比較例について、水流テストによる色水の時間変化を示す図である。
【発明を実施するための形態】
【００１９】
以下、本発明の一実施形態に係る浮上槽について、図面を参照しながら詳細に説明する。なお、以下に示す実施形態は本発明の実施形態の一例であって、本発明はこれらの実施形態に限定されるものではない。また、図面の寸法比率は説明の都合上実際の比率とは異なったり、構成の一部が図面から省略されたりする場合がある。
【００２０】
＜実施形態＞
本発明の一実施形態に係る浮上槽１について、図面を参照しながら詳細に説明する。まず、浮上槽１の外観の構成について説明する。
【００２１】
［外観構成］
図１は、本発明の一実施形態に係る浮上槽１の外観を示す図である。浮上槽１は、水槽１０、導入口２０および排水樋４０を有する。水槽１０内において、サケ、マス等の発眼卵を孵出させて、仔魚を稚魚になるまで育成する。なお、浮上槽１は、水が通過する部分の大部分が硬質ポリ塩化ビニルなどのプラスチックにより形成される。プラスチック以外で形成されているものとしては、例えば、後述する下網７０（図３参照）がある。
【００２２】
水槽１０は、仕切板７１、７２により４区画に分割されている。仕切板７１、７２は、水槽１０の他の区画の水が流れ込まない高さに設計されている。水槽１０の各区画には、受卵盆６０が設置されている。受卵盆６０は、サケ、マス等の発眼卵が載置される。受卵盆６０には、発眼卵が通過せず、仔魚が通過できる程度の大きさの複数の開口部６０Ｈ（図６参照）が形成されている。受卵盆６０は、稚魚が浮上するときには取り外される。
【００２３】
導入口２０は、水槽１０へ導入する水が供給される部分であり、水槽１０の水面となる高さよりも上部に設けられている。導入口２０に供給された水は、水槽１０の下部に誘導され、水槽１０の内部に流入する。水槽内部に流入した水は、水槽１０の周囲に設けられた排水網４５Ｆ、４５Ｂ、４５Ｌ、４５Ｒを通過して排水樋４０に流出し、排水口５０から排出される。ここで、排水網４５Ｆ、４５Ｂ、４５Ｌ、４５Ｒは、導入口２０側から見て、手前側、奥側、左側、右側にある排水網をいい、特に区別しない場合には単に排水網４５という。排水網４５は、支持板４６により支持されている。
【００２４】
排水樋４０は、水槽１０の周囲に設けられ、水槽１０から周囲に流出させる排水網４５とともに、水槽１０の水を排水口５０に導く排水路を構成する。排水口５０は、図示しない排水パイプが接続され、その排水パイプを通して浮上槽１の外部に排水するための流路である。このとき、排水口５０は、浮上した稚魚を浮上槽１の外部（例えば、池）に放流するときにも用いられる。排水口５０から放流することにより、稚魚を玉網などですくわずに自然に近い状態に放流することができる。なお、一方の排水口５０を栓で塞ぐなどして用いてもよい。
【００２５】
浮上槽１の側面を構成する側板（導入口２０側から見て、手前側、奥側、左側、右側の側板を側板３５Ｆ、３５Ｂ、３５Ｌ、３５Ｒという）のうち、側板３５Ｌ、３５Ｒには、水槽１０の内部を側面から観察するための観察窓３０Ｌ、３０Ｒが設けられている。観察窓３０Ｌ、３０Ｒは、アクリル板など光を透過する材料で形成されている。観察窓３０Ｌの周囲にはレール３２が設けられ、観察窓３０Ｌへの光の導入を遮蔽するための遮光引戸３１Ｌ（図１において省略、図４参照）を設置可能になっている。
【００２６】
水槽１０の側面は、側板３５Ｂ、３５Ｌ、３５Ｒ、３５Ｐで構成される。側面３５Ｆは、側板３５Ｂ、３５Ｌ、３５Ｒ、３５Ｐとともに、水槽１０の下部および導入口２０側に形成された誘導部８０（図３参照）の側面を構成する。詳細については後述する。
【００２７】
また、浮上槽１の下部には、浮上槽１の全体を支える４つの調整足９０が設けられている。調整足９０は長さ調節が可能であり、浮上槽１の傾きを調整することができる。通常に使用するときには浮上槽１が水平になるようにして、水槽１０の水が一方向に偏って排水樋４０に流出しないように各調整足９０の長さが調整されている。
【００２８】
［内部構造］
続いて、浮上槽１について、内部構造を含めてさらに説明する。
【００２９】
図２は、本発明の一実施形態に係る浮上槽１を上方から見た図である。図３は、図２に示すＩＩＩ−ＩＩＩ方向に見た断面の模式図である。水槽１０の底部には、下網７０が設けられている。下網７０は、魚卵、仔魚および稚魚を通過させず、かつ水を通過させる程度の大きさの開口部を有し、この例では、ステンレスで形成された網である。
【００３０】
導入口２０に水が供給されると、整流板２５に設けられた開口部を通過し、側板３５Ｆと側板３５Ｐとの間を水が流れて底板３５Ｃに受け止められ、水槽１０の下網７０の下部に誘導される。誘導部８０は、導入口２０に供給された水を水槽１０の下部に誘導する流路である。底板３５Ｃには誘導部８０内の水抜きができるように排水穴６８Ｈを有する。水抜きをしないときには、排水孔６８Ｈは排水栓６８で塞がれている。
【００３１】
誘導部８０に設けられた整流板２５は、開口部が複数設けられている。この例では、開口部は円形であり、所定のピッチで並んでいる。導入口２０に供給された水は、整流板２５に当たって開口部を通過する。これにより、供給された水に気泡が含まれている場合であっても、整流板２５の開口部より大きい気泡が通過できないため、大部分の気泡が除去される。また、整流板２５により流速が抑えられるため、整流板２５を通過した気泡があっても水槽１０の下部にまではほとんど到達しないようにすることができる。気泡が水槽１０の下部に到達してしまうと、下網７０の下面に泡が溜って水流の妨げとなる場合があるが、整流板２５が存在することにより泡が溜まってしまうことを抑制することができる。さらに、導入口２０に供給された水は、整流板２５により導入口２０近傍だけに集中せず、周囲に分散して水槽１０の下部に流れる。
【００３２】
水槽１０は、上方から見た場合に仕切板７１、７２により４区画に分割されている。また、水槽１０は、側方から見た場合に受卵盆６０により上下に区画されている。上下の区画については、受卵盆６０の開口部６０Ｈが水の流路となっている。また、仕切板７１、７２の受卵盆６０より下側部分にも、受卵盆６０と同様な形状の開口部（図２においては開口部７２Ｈ）が設けられ、下側にある隣接区画の水の流路となっている。なお、仕切板７１、７２の受卵盆６０より上側部分にも開口部が設けられていてもよい。また、仕切板７１、７２のいずれか一方、または双方に開口部が設けられていなくてもよい。
【００３３】
水槽１０の下側の各区画には、仔魚が稚魚になるまで安静に育成されるためのネットリング６５が敷き詰められている。この例ではネットリング６５は５層に積まれており、各層でネットリング６５の長手方向の向きが、仕切板７２に沿った方向、仕切板７１に沿った方向の順に交互に入れ替わるように積み上げられている。なお、上述した仕切板７１、７２の開口部が存在する場合には、仔魚への影響を少なくするため、積み上げられたネットリング６５は、この開口部の下側までの高さになるようにすることが望ましい。
【００３４】
排水樋４０は、水槽１０の周囲に設けられ、排水口５０側、および導入口２０側に堰板４１、４２が設置できるようになっている。通常の排水に排水樋４０および排水口５０が用いられている場合には、堰板４１、４２が取り付けられた状態であっても、取り外された状態であってもよい。一方、２箇所の排水口５０を稚魚の放流に用いる場合に、堰板４１、４２を取り付けることで、水槽１０の左右の区画（導入口２０から見た左側の区画と右側の区画）の稚魚を、それぞれ別の池に放流することもできる。また、２箇所の排水口５０の一方を稚魚の放流に用い、他方を排水に用いることもできる。
【００３５】
また、排水樋４０が水槽１０の導入口２０側にも設けられ、排水網４５Ｆを通して水槽１０から水を流出させることができるようになっている。水槽１０の周囲に排水樋４０がなく、導入口２０と反対側（排水口５０側）だけに存在する場合、水槽１０の下部から流入した水が排水口５０側に引っ張られて、水槽１０の導入口２０側の区画において水が滞留してしまう問題が生じる。
【００３６】
一方、本発明の実施形態に係る浮上槽１のように、導入口２０側において排水網４５Ｆを通して水槽１０の水が流出できる構成であるため、水槽１０における水の偏流が起きにくい。さらに、排水網４５Ｌ、４５Ｒを通して水槽１０の水が流出できる構成であることにより、さらに水の偏流を抑制することができる。したがって、水槽１０の下部から導入された水は、安定した湧昇流として水槽１０の全体に行き渡り、一部領域において酸素濃度が少なくなることを抑制することができる。
【００３７】
図３に示すように、浮上槽１には、蓋９５が設けられている。蓋９５は、浮上槽１の上面全体を覆い、観察窓３０Ｌ、３０Ｒ以外からの水槽１０内への光の導入を遮蔽する。稚魚として浮上してくる段階までは水槽１０内を暗くしておくことが望ましいため、通常、浮上槽１は、蓋９５により水槽１０を遮光した状態で使用される。このとき、浮上槽１は、観察窓３０Ｌ、３０Ｒを遮光引戸３１で覆うことにより水槽１０を遮光する。仔魚が稚魚にまで育成されると、光を当てて稚魚を刺激して浮上を促すが、蓋９５および受卵盆６０を取り外すだけでなく、遮光引戸３１を取り外して観察窓３０Ｌ、３０Ｒから水槽１０の内部に側面から光を導入することで、効率的に稚魚を刺激することができる。
【００３８】
［観察窓］
図４は、本発明の一実施形態に係る浮上槽１の側板３５Ｌに設けられた観察窓３０Ｌおよび遮光引戸３１を説明する図である。図４（ａ）は、図１の浮上槽１を導入口２０の左側から見た図である。観察窓３０Ｌは、受卵盆６０およびネットリング６５を含む水槽１０の内部を観察し、また、光を導入するために設けられた窓である。
【００３９】
遮光引戸３１は、図４（ｂ）に示すように、レール３２に沿ってスライドして、観察窓３０Ｌを塞ぎ、水槽１０の内部に光が導入されるのを遮蔽することができる遮光部である。この観察窓３０Ｌ、３０Ｒは、稚魚の浮上を促すだけでなく、発眼卵が孵出したかどうか、仔魚の育成具合などを確認するためにも用いることができる。
【００４０】
一方で、仔魚は安静に保たれるのがよいため、できるだけ短い時間で確認することが望ましい。そのため、図４（ｃ）に示すように、レール３２ａに上下に配置された２枚の遮光引戸３１ａ１、３１ａ２をスライドさせることにより、受卵盆６０より下側の区画を暗くしたまま仔魚に光が当たりにくくして、上側の区画を観察することができるようにしてもよい。この例では、遮光引戸３１ａ１をスライドすると、受卵盆６０より上側の一部に光が導入されるため、受卵盆６０を通さないとネットリング６５には光が到達しない。そのため、仔魚にほとんど光を当てずに受卵盆６０に残った発眼卵の確認等が可能となる。以上、観察窓３０Ｌについて説明したが、観察窓３０Ｒも観察窓３０Ｌと同様である。
【００４１】
［水槽内の構成］
続いて、水槽１０の内部の構成について、より詳細に説明する。
【００４２】
図５は、本発明の一実施形態に係る水槽１０の内部構成を説明する図である。図５においては、観察窓は省略されている。以下の図６、図７についても同様である。水槽１０の底に下網７０が設けられ、その下側には誘導部８０が設けられている。各区画の下網７０は、側板３５Ｂ、３５Ｌ、３５Ｒ、３５Ｐと仕切板７１、７２とによって周囲が支持されている。下網７０の上には、各区画のネットリング６５が積み上げられている。各区画の受卵盆６０は、側板３５Ｂ、３５Ｌ、３５Ｒ、３５Ｐと仕切板７１、７２とによって周囲が支持されている。受卵盆６０の破線で囲まれた部分を図６に示す。
【００４３】
図６は、本発明の一実施形態に係る受卵盆６０の構造を説明する図である。受卵盆６０は、外周に沿って形成された封止部６１を有する。封止部６１は、軟質塩化ビニル製であり、仕切板７１、７２と密着することにより、仕切板７１、７２の表面と受卵盆６０の表面とが連続的に接続されるようにする。これにより、受卵盆６０に載置される発眼卵に無理な力がかからないようにすることができる。
【００４４】
また、受卵盆６０の開口部６０Ｈは、小判型の長穴形状である。例えば、長穴形状の幅Ｗは５．０ｍｍ、長さＬは２０．０ｍｍ、幅方向繰り返し寸法Ｈは７．０ｍｍ、長さ方向繰り返し寸法Ｐは２６．０ｍｍに配置されている。この開口部６０Ｈは、サケ、マスの魚卵を載置したときに下側の区画に落下するのを防止し、かつ孵出した仔魚が下側の区画に移動するのに適した配置である。この配置は、孵出させる魚種に応じて適宜設計すればよい。
【００４５】
また、開口部６０Ｈの長手方向は、いずれの方向を向いていてもよいが、水流の安定化のため、仕切板７１に沿った方向（導入口２０側から排水口５０側に沿った方向）に向いていることが望ましい。なお、排水網４５の開口部、仕切板７１、７２の開口部を、受卵盆６０の開口部６０Ｈと同じものとすれば、材料を共通化できるため製造コストを低減することができる。この場合、仕切板７１、７２の開口部の長手方向についても、いずれの方向を向いていてもよいが、湧昇流への影響を少なくするために上下方向に沿っていることが望ましい。排水網４５の開口部についても、いずれの方向を向いていてもよい。
【００４６】
図７は、本発明の一実施形態に係る仕切板７１、７２の構造を説明する図である。仕切板７２は、中央上部にスリット７２Ｓを有するとともに、受卵盆６０を支持するための突出部７２Ｕ、および下網７０を支持するための突出部７２Ｄを有する。仕切り板７２は、水槽１０の側板に形成された凹部３５Ｓに沿って嵌めこまれることにより、水槽１０に取り付けられる。なお、側板には、受卵盆６０を支持するための突出部３５Ｕ、および下網７０を支持するための突出部３５Ｄが形成されている。
【００４７】
仕切板７１は、中央下部にスリット７１Ｓを有するとともに、受卵盆６０を支持するための突出部７１Ｕ、および下網７０を支持するための突出部７１Ｄを有する。仕切り板７１は、水槽１０の側板に形成された凹部３５Ｓに沿って嵌めこまれ、仕切板７２のスリット７２Ｓと、スリット７１Ｓとを噛み合わせることにより、水槽１０に取り付けられる。
【００４８】
［実施例］
続いて、本発明の一実施形態に係る浮上槽１について、偏流の程度を確認するための水流テストを行った結果を説明する。実施形態において説明した浮上槽１と同等の実施例１、排水網４５Ｌ、４５Ｒからは水が流出しないようにして、排水網４５Ｆ、４５Ｂのみから水が流出するようにした実施例２、および排水網４５Ｆ、４５Ｌ、４５Ｒからは水が流出しないようにして、排水網４５Ｂのみから水が流出する従来の構成に近い比較例について、水流テストを行った。
【００４９】
この水流テストは、水槽１０（上方からみた寸法１０００ｍｍ×１０００ｍｍ、深さ５９０ｍｍ、なお、水槽１０の下網７０から底板３５Ｃまでは１００ｍｍ）に水を張り、導入口２０から１分当たり５０リットルの色水を供給した。色水が水槽１０に拡散していく様子を観察し、区画１０ＦＲ、１０ＦＬ、１０ＢＲ、１０ＢＬのそれぞれについて、排水樋４０に色水が流出するまでの時間を計測した。水槽１０の区画１０ＦＲ、１０ＦＬ、１０ＢＲ、１０ＢＬについては、それぞれ図８に示す位置である。なお、比較例においては、区画１０ＦＲ、１０ＦＬから排水樋４０に流出することはできないため、色水の拡散の様子の観察のみとした。
【００５０】
図８は、本発明の実施例１、２および比較例について、水流テストの結果を示す図である。図８（ａ）は実施例１、図８（ｂ）は実施例２、図８（ｃ）は比較例の水流テストの結果であり、各区画に示す時間は導入口２０に色水を供給してから、色水が排水樋４０に流出するまでの時間である。
【００５１】
図９は、本発明の実施例１について、水流テストによる色水の時間変化を示す図である。図１０は、本発明の実施例２について、水流テストによる色水の時間変化を示す図である。図１１は、本発明の比較例について、水流テストによる色水の時間変化を示す図である。それぞれ、（１）から順に時間が経過して色水が拡散する様子を示す図である。図９、図１０、図１１における「導入口」の記載は、写真における導入口２０の位置を示している。
【００５２】
まず、比較例について説明する。排水口５０側の区画１０ＢＲ、１０ＢＬにおいて、３分３５秒という結果であり、色水の拡散が良好に行われていることがわかる。一方、排水樋４０に直接流出できない区画１０ＦＲ、１０ＦＬにおいて、仕切板７１、７２に開口部があって他の区画と水の行き来が可能であったとしても、１０分経過後において一部領域（破線斜線部分）で色水の拡散がみられず、その後の拡散も非常に緩やかであった。そのため、水槽１０において偏流が発生し、一部領域、特に区画１０ＦＲ、１０ＦＬにおいて酸素濃度が低下して、発眼卵の孵出、仔魚の育成に悪影響を与えることになる。
【００５３】
実施例１では、いずれの区画においても３分４０秒から３分５５秒であり、色水の拡散が良好に行われ、偏流の少ない湧昇流が得られていることがわかる。また、実施例２においても、排水口５０側の区画１０ＢＲ、１０ＢＬにおいて、色水の拡散に６分から６分５秒と時間がかかっているものの、導入口２０側の区画１０ＦＲ、１０ＦＬにおいて、３分５０秒で色水の拡散が見られており、比較例に比べて改善されている。
【００５４】
このように、本発明の浮上槽１においては、水槽１０内を複数に区画しても、少なくとも水槽１０の導入口２０側および排水口５０側（導入口２０と反対側）に、水槽１０の水を流出させる排水路を設けることで、全区画において偏流を抑制することができる。また、水槽１０の周囲全体に排水路を設けることで、さらに偏流を抑制することができる。
【００５５】
［変形例１］
上述した実施形態においては、水槽１０は、４区画に分割されていたが、導入口２０側と排水口５０側（導入口２０と反対側）との２区画に分割されていてもよい。なお、３区画に分割されていてもよいし、さらに多くの区画に分割されていてもよいが、いずれの区画においても、水槽１０の周囲に面している必要があり、排水路への流出ができる必要がある。
【００５６】
［変形例２］
上述した実施形態においては、水槽１０の周囲に排水路が設けられていたが、実施例２で説明したように、少なくとも水槽１０の導入口２０側と排水口５０側（導入口２０と反対側）において排水路が設けられていればよい。
【００５７】
［変形例３］
上述した実施形態における底板３５Ｃに水の流れの妨げとなる突起物などの抵抗物が設けられていてもよい。この配置間隔、形状を導入口２０からの距離に応じて変化させることにより、偏流をより抑制するようにしてもよい。例えば、半円柱の抵抗物を配置する場合について説明する。この場合、半円柱の曲面部分が上方を向き、かつ長手方向が仕切板７２に沿った方向になるように、抵抗物を配置する。抵抗物は導入口２０からの距離によらず等間隔に配置される一方、円柱の直径が導入口２０から遠いほど大きくなるようになっていてもよい。
【符号の説明】
【００５８】
１…浮上槽、１０…水槽、２０…導入口、２５…整流板、３０…観察窓、３１…遮光引戸、３２…レール、３５Ｆ，３５Ｂ，３５Ｌ，３５Ｒ，３５Ｐ…側面、３５Ｃ…底板、４０…排水樋、４１，４２…堰板、４５…排水網、５０…排水口、６０…受卵盆、６５…ネットリング、６８…排水栓、６８Ｈ…排水穴、７１，７２…仕切板、８０…誘導部、９０…調整足、９５…蓋